(57)【要約】【課題】  クリップとキャップ本体からなるクリップ付きキャップにおいて、紙面等をクリップとキャップ本体との間に保持する際に奥まで挟むと、クリップ腕状部とキャップとの付け根部との隙間に紙面等が食いつき皺の発生や破断をすることがある。【解決手段】                                                                  クリップ２の基部２１がキャップ本体３と嵌合し、玉部２３がキャップの胴部３２の表面に当接しているクリップ付きキャップにおいて、軸断面におけるクリップ腕状部２２と胴部３２との隙間Ｗに対して、キャップの胴部３２の表面から外側に向けて起立壁３１を形成することで紙面等へ影響を防止した。【選択図】  図４
2011230486.tif 000002
【特許請求の範囲】
【請求項１】
キャップ本体とクリップが嵌合するクリップ付きキャップにおいて、
キャップ本体は、一端はクリップと嵌合する凹凸部が形成された略筒形状からなり、
クリップは長手方向の一端はキャップ本体と嵌合する基部と、基部と長手方向の他端に位置し内側はキャップ本体の外周面と当接する玉部と、基部と玉部を接続する腕状部とからなり、
キャップ本体とクリップが嵌合した際の軸断面において、玉部から前方にかけて腕状部の内側とキャップ本体の表面との隙間に起立壁が形成されていることを特徴とするクリップ付きキャップ。
【請求項２】
起立壁は、軸断面方向において腕状部とキャップ本体との接点と当接し、キャップ表面から外側に向けて形成されていることを特徴とする請求項１記載のクリップ付きキャップ。
【請求項３】
クリップ内側に起立壁と対向した窪部を形成したことを特徴とする請求項１又は２記載のクリップ付きキャップ。
【請求項４】
キャップ本体の側面部に面削ぎ部を形成したことを特徴とする請求項１から３何れか１項に記載のクリップ付きキャップ。
【請求項５】
前方キャップ内径部の内側に第１の凹凸部が形成されると共に、クリップ腕状部の長手方向一端部のクリップ基部の外径部の外側に第２の凹凸部が形成されており、第１および第２の凹凸部同士が嵌合してキャップにクリップが固定し、起立壁は前記第１および第２の凹凸部より前方に位置することを特徴とする請求項１から４の何れか１項記載のクリップ付きキャップ。
【請求項６】
請求項１〜５の何れか１項記載のクリップ付きキャップを軸体に嵌合したことを特徴とする筆記具
【発明の詳細な説明】
【技術分野】
【０００１】
本発明は、筆記具あるいは塗布具等のクリップとキャップを別部品として嵌合により固定するクリップ付きキャップに関する。
【背景技術】
【０００２】
従来から、筆記具（以下、液体塗布体等も含む）の筆記あるいは塗布先端部をキャップ体で覆うが、服等のポケットに筆記具を収容する際に、収容時にぐら付かないように、キャップ体にクリップが設けられているのが通常である。そして、クリップのデザインの自由度を上げるために、クリップとキャップ（キャップ本体）を別部品でそれぞれ作成し、それら同士を嵌着させてクリップ付きキャップを作ることが行われている。
【０００３】
クリップの玉部（クリップのキャップ側に突出した側面視半円状の突起部）とキャップの間の隙間をできるだけ少なくして、筆記具をポケットなどに入れてクリップを指す場合はクリップとキャップで布を緊密に挟み付けて筆記具の落下を防ぐ必要がある。
【０００４】
また別部品を嵌着させてクリップ付きキャップを作る場合、クリップ玉部とキャップの設計時には隙間のないように設定されていても、クリップやキャップの形状によって、特に成形部品においては隙間が発生する場合があり、隙間が空いた場合はポケット（通常胸ポケット）等にクリップを引っ掛けた場合に抜け落ち易くなる問題が生じる。一方、クリップ玉部とキャップ外径（外周面部）とによる押さえ力が極端に大きい場合には、クリップに常時、強い応力が発生して破損し易くなるので、ある程度以上は抑え力を強くする設定ができず、前記の隙間発生を効果的に防止できないという問題点があった。そこでクリップ全体をその玉部がクリップ本体外周面に接する方向に傾くようにして、クリップとキャップ側面との間で胸ポケット等にクリップを指したときにクリップを確実に引っ掛けることができるクリップ付きキャップが開示されている（特許文献１）。
【先行技術文献】
【特許文献】
【０００５】
【特許文献１】特開２００２−１７２８８７
【発明の開示】
【発明が解決しようとする課題】
【０００６】
しかしながら、特許文献１記載のクリップ付きキャップは、クリップ腕状部とキャップ外周面でなす角度が狭い場合、クリップとキャップの間に紙面を奥まで挟むと、クリップ腕状部とキャップとの付け根部の隙間には紙など薄いものが挟まり食いつく場合があるので、紙などへの皺の発生や破断をすることがある。
そこで、本発明は、上記従来技術の問題点に着目してなされたもので、クリップとキャップとの間に紙面等を挟持しても紙面の皺や破断を防ぐことができるクリップ付きキャップを提供することを目的とする。
【課題を解決するための手段】
【０００７】
そこで、発明者は鋭意開発の末、以下の発明を実現するに至った。
キャップ本体は、一端はクリップと嵌合する凹凸部が形成された略筒形状からなり、クリップは長手方向の一端はキャップ本体と嵌合する基部と、基部と長手方向の他端に位置し内側はキャップ本体の外周面と当接する玉部と、基部と玉部を接続する腕状部とからなり、キャップ本体とクリップの嵌合は前方キャップ内径部の内側に第１の凹凸部が形成されると共に、クリップ腕状部の長手方向一端部のクリップ基部の外径部の外側に第２の凹凸部が形成されており、第１および第２の凹凸部同士が嵌合し、キャップ本体とクリップが嵌合した際の軸断面においては、腕状部とキャップ本体との接点と当接し、キャップ表面から外側に向けて形成されている起立壁を形成したクリップ付きキャップを搭載した筆記具である。
また、クリップ内側に起立壁と対向した窪部を形成し、キャップ本体の側面部には面削ぎ部を形成することが望ましい。
【発明の効果】
【０００８】
本発明のキャップ本体とクリップとの付け根部に起立壁を形成することにより、クリップ腕状部とキャップ外周面でなす角度が狭いクリップ付きキャップにおいて、クリップとキャップとの間に紙面を奥まで挟んでも、不用意に紙面に皺が発生したり破断したりすることが無くなる。
また、クリップ内側に起立壁と対向した窪部を形成することで、組立性を容易にすることができる。
さらに、側面部に面削ぎ部を形成することで容易に持ちやすくしたり、パーツフィーダーでの搬送を容易にすることもできる。
【図面の簡単な説明】
【０００９】
【図１】本発明における実施形態の筆記具を示す全体図である。
【図２】本発明における実施形態のクリップ付きキャップを示す部品図である。
【図３】本発明における実施形態のクリップを示す部品図である。
【図４】本発明における実施形態のキャップ本体を示す部品図である。
【図５】本発明における実施形態のクリップとキャップ本体の組立方法を示す図である。
【発明を実施するための形態】
【００１０】
以下、図面にもとづき本発明の実施形態を示す。ただし、これに限られるものではない。
なお、本明細書中において、筆記する側を「前方」、その他方の側を「後方」と呼ぶ。
また、軸線に対し中心線側を「内側」、その反対側を「外側」と呼ぶ。
【００１１】
図１は実施形態における筆記具の外観を示す全体図であり、図１（ａ）は正面図、図１（ｂ）は図１（ａ）の断面図、図１（ｃ）はクリップ付きキャップ１を軸体４から外した正面図である。筆記具は、軸体４に筆記体６の筆記部を保護するクリップ付きキャップ１を嵌合した一般的なキャップ式筆記具である。
【００１２】
図２は実施形態におけるクリップ付きキャップ１を示す部品図であり、図２（ａ）は左側面図、図２（ｂ）は平面図、図２（ｃ）は正面図、図２（ｄ）は図２（ｃ）の断面図、図２（ｅ）は右側面図、図２（ｆ）は図２（ｄ）におけるＶ−Ｖ断面の断面図、図２（ｇ）は前方からの斜視図、図２（ｈ）は後方からの斜視図である。
クリップ２とキャップ本体３は容易に取り外れないように係止されており、また玉部２３がキャップの胴部３２と当接していることにより玉部２３と胴部３２の間に紙面等を挟んでも適度な保持力が確保されている。クリップ２とキャップ本体３に挟まれた前方には紙面より狭い間隔の隙間Ｗがある。隙間Ｗはクリップ２とキャップ本体３に挟まれた後方より狭い空間となっている。隙間Ｗの傍にはキャップ本体３から外側に形成された起立壁３１がある。紙面等を挟む際に前方まで押し込んでも起立壁３１の後方の端部で当接することから、紙面が隙間Ｗへの前方の端まで到達しないので紙面等への食いつきを防ぎ、紙面への皺や破断を防止することができる。
【００１３】
尚、起立壁３１は本実施形態ではキャップ本体３に形成されているが、キャップ本体３でなくクリップ２の腕状部２２の内側、又はキャップ本体３とクリップ２の両方に起立壁３１を形成してもよい。
【００１４】
図３は実施形態におけるクリップ２を示す部品図であり、図３（ａ）は左側面図、図３（ｂ）は平面図、図３（ｃ）は正面図、図３（ｄ）は背面図、図３（ｅ）は図３（ｃ）の断面図、図３（ｆ）は右側面図、図３（ｇ）は前方からの斜視図、図３（ｈ）は後方からの斜視図である。
クリップ２の構造について説明する。クリップ２はキャップ本体３と嵌合する基部２１と、キャップ本体３と係止後キャップ本体２１に当接する玉部２３と、基部２１と玉部２３を接続する腕状部２２とからなる。基部２１にはクリップ付きキャップ１完成後、空気を流通可能とする通気孔２４とキャップ本体３と係止可能に凹凸状の段差を形成した凹凸部２５からなる。通気孔２４は筆記体６をシール可能な構造にしてもよい。腕状部２２は後方から前方に向かって内側に曲線を描いた状態で形成され、外側への応力を与えると内側に弾発する構造が望ましい。また腕状部２２の背面には窪部２６を形成することで、成形時における腕状部外側の表面のヒケ防止とキャップ本体３への組立性の向上を得ることができる。玉部２３は腕状部２２の内側から突出して形成され、クリップ付きキャップにおいては紙面等の保持部となる。また玉部２３は本実施形態では１つであるが２つ以上形成して保持力を向上させてもよい。
【００１５】
図４は実施形態におけるキャップ本体３を示す部品図であり、図４（ａ）は左側面図、図４（ｂ）は平面図、図４（ｃ）は正面図、図４（ｄ）は背面図、図４（ｅ）は図４（ｃ）の断面図、図４（ｆ）は右側面図、図４（ｇ）は後方からの斜視図である。
キャップ本体３について説明する。キャップ本体３は略円筒状の胴部３２からなり、胴部３２の前方には外側に向かって起立壁３１が形成されている。起立壁３１は、胴部３２と別の部品で構成されてもよい。また、起立壁３１は平面方向の視点から略五角形状で形成されているが、四角形状、円形状、等にしてもよい。起立壁３１の周方向の幅は、クリップの腕状部２２の周方向の幅より小さく形成することが望ましい。胴部３２の側面の一部には胴部３２より外径が小さい面削ぎ部３３と面削ぎ部３３によって形成された掛部３４がある。掛け部３４は、キャップ本体３の前方を下向きにして部品供給装置で搬送する際、部品供給装置のレールに引っ掛けることが容易で生産性の向上を実現することができる。胴部３２内部には、後方から軸体４の嵌合部４５と嵌合可能な軸嵌合部３５、軸体４の尾端４４と嵌合可能な尾端嵌合部３６、クリップ２の凹凸部２５と係止可能なクリップ凹凸部３７が形成されている。軸嵌合部３５と尾端嵌合部３６は内側に向かって複数の突起が形成されている。突起ではなく内側全周に形成してもよいが、キャップと軸は取付取外しの繰返し動作があるため、嵌合力の調整が容易な突起で４箇所の形成が望ましい。
【００１６】
図５は実施形態におけるクリップとキャップ本体の組立方法を示す図であり、図５（ａ）は正面図、図５（ｂ）は図５（ａ）の断面図である。
組立方法については、クリップ２をキャップ本体３に対し後方に移動することでクリップの凹凸部２５がキャップ本体のクリップ凹凸部３７を後方に乗り越え互いに係止することで、クリップ付きキャップ１が完成する。
【００１７】
これより軸体４について説明する。軸体４は把持部４１、把持部４１と尾端４４を接続する軸中央部４２、軸中央部の一部を刳り貫いた窓部４３、軸体後方の尾端４４、クリップ付きキャップと嵌合する嵌合部４５で構成される。把持部４１は、軸表面から複数の凹部を形成することで筆記する際に手の滑りを防ぐことができる。把持部４１と軸中央部４２と尾端４４は本実施形態においては、熱可塑性エラストマーで一体形成することが望ましい。窓部４３と嵌合部４５は一体に形成されており、筆記体６のインク量が見えるように透明性の高くかつ摩耗に強い樹脂を用いる。窓部４３と軸中央部４２や尾端４４と一体にして筆記体６が見えないように形成してもよい。軸体４の形成方法は切削加工によるもの、射出成形によるもの等が挙げられるが、例えば窓部４３と嵌合部４５を透明性のある樹脂にして把持部４１、軸中央部４２、尾端４４をエラストマー等にした２種類の材質を組み合わせる場合は、二色成形による射出成形法が望ましい。
【００１８】
口プラ５は、筆記体６を軸体４から脱落しないように保持するため軸体４の前方に取り付けられる。口プラ５の軸体４への取り付け方法はネジによる嵌合、接着剤等の液体による接着、圧入による固着等が挙げられるが、筆記体６の交換を容易にするのであれば、ネジによる嵌合が望ましい。また口プラ５はプラスチック製が望ましいが、金属製や木製でも軸体４と取り付け可能であれば材質は特に指定しない。
【００１９】
筆記体６について説明する。実施形態における筆記体６は軸体４と口プラ５内に収容され、筆記部を口プラから露出したボールペン形態であるが、軸体４と口プラ５内へ十分収容可能かつ紙面等への筆記が可能であればマーカーペン形態、筆形態、万年筆形態等、特に指定しない。
【産業上の利用可能性】
【００２０】
以上のことから本発明は、クリップとキャップとの間に紙面等を挟持しても紙面の皺や破断を防ぐことができるクリップ付きキャップであり、産業上の利用可能性のある有益な発明である。
【符号の説明】
【００２１】
１  クリップ付きキャップ
２  クリップ
２１  基部
２２  腕状部
２３  玉部
２４  通気孔
２５  凹凸部
２６  窪部
３  キャップ本体
３１  起立壁
３２  胴部
３３  面削ぎ部
３４  掛部
３５  軸嵌合部
３６  尾端嵌合部
３７  クリップ凹凸部
４    軸体
４１  把持部
４２  軸中央部
４３  窓部
４４  尾端
４５  嵌合部
５    口プラ
６    筆記体
Ｗ    隙間
【図１】
2011230486.tif 000003
【図２】
2011230486.tif 000004
【図３】
2011230486.tif 000005
【図４】
2011230486.tif 000006
【図５】
2011230486.tif 000007